(57)【要約】【課題】高い防滑性能とスライド性能とを両立したスポーツ靴。【解決手段】スポーツ靴２は、ソール６を備えている。このソール６が地面Ｇに接地する踵部と爪先部とを備えている。ソール６の爪先及びインサイドのソール底面の縁に防滑突起１０を備えている。この防滑突起１０は、踵部の幅方向中央部と爪先部の幅方向中央部とが共に接地した状態で、地面Ｇに接地しない高さに形成されている、且つこの防滑突起１０は、踵部の幅方向中央部を接地させずに、この防滑突起に隣接するソール底面が地面に近付く向きに押圧される状態で、この防滑突起１０が地面Ｇに接地する高さに形成されている。スポーツ靴２の防滑突起１０に代えて、ソール底面の縁に摩擦係数が大きい防滑面が形成されてもよい。【選択図】図１
2014236783.tif 000002
【特許請求の範囲】
【請求項１】
ソールを備えており、
このソールが地面に接地する踵部と爪先部とを備えており
このソールの爪先及びインサイドのソール底面の縁に防滑突起を備えており、
この防滑突起が踵部の幅方向中央部と爪先部の幅方向中央部とが共に接地した状態で地面に接地しない高さであって、且つ踵部の幅方向中央部を接地させずに、この防滑突起に隣接するソール底面の縁が地面に近付く向きに押圧される状態で、この防滑突起が地面に接地する高さに形成されているスポーツ靴。
【請求項２】
上記防滑突起と地面との距離が、踵部の幅方向中央部と爪先部の幅方向中央部とが共に接地した状態で、この防滑突起に隣接するソール底面の縁と地面との距離より小さくされている請求項１に記載のスポーツ靴。
【請求項３】
上記防滑突起が、上記ソールの全長Ｌに対して爪先から０．１Ｌ以上０．５Ｌ以下の範囲の、爪先からインサイドまでのソール底面の縁に形成されている請求項１又は２に記載のスポーツ靴。
【請求項４】
上記ソールのアウトサイドのソール底面の縁に防滑突起を備えており、
この防滑突起が、上記ソールの全長Ｌに対して爪先から０．１Ｌ以上０．５Ｌ以下の範囲の、爪先からアウトサイドまでのソール底面の縁に形成されている請求項１から３のいずかに記載のスポーツ靴。
【請求項５】
上記防滑突起と地面との距離が踵部の幅方向中央部と爪先部の幅方向中央部とが共に接地した状態で０を超え４ｍｍ以下である請求項１から４のいずれかに記載のスポーツ靴。
【請求項６】
上記防滑突起の高さが１ｍｍ以上６ｍｍ以下である請求項１から５のいずれかに記載のスポーツ靴。
【請求項７】
上記防滑突起が形成される防滑底面を備えており、
この防滑底面の面積Ｓ１に対する防滑突起の接地面積Ｓ２の比Ｓ２／Ｓ１が、０．１以上０．６以下である請求項１から６のいずれかに記載のスポーツ靴。
【請求項８】
上記防滑底面がソール底面の縁の外側に設けられており、
この防滑底面の幅が０．１Ｌ以内である請求項７に記載のスポーツ靴。
【請求項９】
ソールを備えており、
このソールが地面に接地する踵部と爪先部とを備えており
爪先及びインサイドのソール底面の縁に、地面に対向する防滑面を備えており、
この防滑面が踵部の幅方向中央部と爪先部の幅方向中央部とが共に接地した状態で地面に接地しない高さであって、且つ踵部の幅方向中央部を接地させずに、この防滑面に隣接するソール底面が地面に近付く向きに押圧される状態で、この防滑面が地面に接地する高さに形成されており、
この防滑面の材質とソール底面の材質とが異なっており、防滑面の材質の摩擦係数がソール底面の材質の摩擦係数より大きくされているスポーツ靴。
【請求項１０】
上記防滑面と地面との距離が、踵部の幅方向中央部と爪先部の幅方向中央部とが共に接地した状態で、この防滑面に隣接するソール底面の縁と地面との距離より小さくされている請求項９に記載のスポーツ靴。
【請求項１１】
上記防滑面が、上記ソールの全長Ｌに対して爪先から０．１Ｌ以上０．５Ｌ以下の範囲の、爪先からインサイドまでのソール底面の縁に形成されている請求項９又は１０に記載のスポーツ靴。
【請求項１２】
上記ソールのアウトサイドのソール底面の縁に防滑面を備えており、
この防滑面が、上記ソールの全長Ｌに対して爪先から０．１Ｌ以上０．５Ｌ以下の範囲の、爪先からアウトサイドまでのソール底面の縁に形成されている請求項９から１１のいずれかに記載のスポーツ靴。
【請求項１３】
上記ソールの縁に形成された防滑面から地面までの距離が、踵部の幅方向中央部と爪先部の幅方向中央部とが共に接地した状態で、０を超え４ｍｍ以下である請求項９から１２のいずれかに記載のスポーツ靴。
【発明の詳細な説明】
【技術分野】
【０００１】
本発明は、スポーツ靴に関する。詳細には、本発明は、スポーツ靴のソールの改良に関する。
【背景技術】
【０００２】
スポーツ靴は、プレイヤーの急な動きの変化に適用することが要求される。例えば、テニス、ラグビー、サッカー、アメリカンフットボール、バトミントン等の動きの激しいスポーツでは、急な動きの変化への適用が要求される。この急な動きの変化として、停止状態から急に走り出すスタート動作と、走っている状態から急に停止するストップ動作とが挙げられる。このスタート動作では、スポーツ靴は地面をしっかりとグリップすることが要求される。一方で、ストップ動作では、脚への負担を和らげるため、スポーツ靴は適度に地面に対してスリップすることが要求される。
【０００３】
テニスを例に説明すると、プレイヤーは、ラリーの際にコートの中を移動しつつストロークを行う。プレイヤーは、相手のストロークからボールの方向を予測し、目標地点に向かって移動する。このとき、スタート動作が採られる。目標地点に近づくと、プレイヤーは足を固定し、ストロークの体勢を整える。ストップ動作が採られる。この後に、固定した足が地面に対してスライドする。短い距離ではあるが、このスライドにより、プレイヤーに加わる衝撃が緩和される。目標地点に到達したプレイヤーは、ストロークを行う。次にプレイヤーは走る向きを変えて、次のスタート動作を経て、次の目標地点へと移動する。このラリーに限らず、ウォーミングアップ及びトレーニングでも、同様にスタート動作とストップ動作とが繰り返される。
【０００４】
このテニスの動作で例示したように、スポーツ靴には、スタート動作で地面をしっかりとグリップする防滑性能と、ストップ動作で適度に地面に対してスリップするスライド性能との両立が要求される。特開２００５−７３８２３号公報には、ソールの底面の突出部の形状を工夫して、この防滑性能とスライド性能とが両立されたテニス靴が開示されている。
【先行技術文献】
【特許文献】
【０００５】
【特許文献１】特開２００５−７３８２３号公報
【発明の概要】
【発明が解決しようとする課題】
【０００６】
スポーツ靴は、更に高い運動性能を要求されている。ストップ動作では適度なスライド性能が維持されつつ、スタート動作では更に高い防滑性能が要求されている。スポーツ靴は、更に高いレベルでの防滑性能とスライド性能との両立が要求されている。
【０００７】
本発明の目的は、高い防滑性能とスライド性能とを両立したスポーツ靴の提供にある。
【課題を解決するための手段】
【０００８】
本発明に係るスポーツ靴は、ソールを備えている。このソールは、地面に接地する踵部と爪先部とを備えている。このスポーツ靴は、爪先及びインサイドのソール底面の縁に防滑突起を備えている。この防滑突起は、踵部の幅方向中央部と爪先部の幅方向中央部とが共に接地した状態で、地面に接地しない高さに形成されている。且つこの防滑突起は、踵部の幅方向中央部を接地させずに、この防滑突起に隣接するソール底面が地面に近付く向きに押圧される状態で、この防滑突起が地面に接地する高さに形成されている。
【０００９】
好ましくは、上記防滑突起と地面との距離は、踵部の幅方向中央部と爪先部の幅方向中央部とが共に接地した状態で、この防滑突起に隣接するソール底面の縁と地面との距離より小さくされている。
【００１０】
好ましくは、上記防滑突起は、上記ソールの全長Ｌに対して爪先から０．１Ｌ以上０．５Ｌ以下の範囲の、爪先からインサイドまでのソール底面の縁に形成されている。
【００１１】
好ましくは、このスポーツ靴は、アウトサイドのソール底面の縁に、防滑突起を備えている。この防滑突起が、上記ソールの全長Ｌに対して爪先から０．１Ｌ以上０．５Ｌ以下の範囲の、爪先からアウトサイドまでのソール底面の縁に形成されている。
【００１２】
好ましくは、上記防滑突起と地面との距離は、踵部の幅方向中央部と爪先部の幅方向中央部とが共に接地した状態で、０を超え４ｍｍ以下である。
【００１３】
好ましくは、上記防滑突起の高さは、１ｍｍ以上６ｍｍ以下である。
【００１４】
好ましくは、このスポーツ靴は、上記防滑突起が形成される防滑底面を備えている。この防滑底面の面積Ｓ１に対する防滑突起の接地面積Ｓ２の比Ｓ２／Ｓ１は、０．１以上０．６以下である。
【００１５】
好ましくは、上記防滑底面はソール底面の縁の外側に設けられている。この防滑底面の幅は、０．１Ｌ以内である。
【００１６】
本発明に係る他のスポーツ靴は、ソールを備えている。このソールは、地面に接地する踵部と爪先部とを備えている。このスポーツ靴は、爪先及びインサイドのソール底面の縁に、地面に対向する防滑面を備えている。この防滑面は、踵部の幅方向中央部と爪先部の幅方向中央部とが共に接地した状態で、地面に接地しない高さであって、且つ踵部の幅方向中央部を接地させずに、この防滑面に隣接するソール底面が地面に近付く向きに押圧される状態で、この防滑面が地面に接地する高さに形成されている。この防滑面の材質とソール底面の材質とは、異なっている。防滑面の材質の摩擦係数は、ソール底面の材質の摩擦係数より大きくされている。
【００１７】
好ましくは、上記防滑面と地面との距離は、踵部の幅方向中央部と爪先部の幅方向中央部とが共に接地した状態で、この防滑面に隣接するソール底面の縁と地面との距離より小さくされている。
【００１８】
好ましくは、上記防滑面は、上記ソールの全長Ｌに対して爪先から０．１Ｌ以上０．５Ｌ以下の範囲の、爪先からインサイドまでのソール底面の縁に形成されている。
【００１９】
好ましくは、このスポーツ靴は、アウトサイドのソール底面の縁に防滑面を備えている。この防滑面が、上記ソールの全長Ｌに対して爪先から０．１Ｌ以上０．５Ｌ以下の範囲の、爪先からアウトサイドまでのソール底面の縁に形成されている。
【００２０】
好ましくは、上記ソールの縁に形成された防滑面から地面までの距離は、踵部の幅方向中央部と爪先部の幅方向中央部とが共に接地した状態で、０を超え４ｍｍ以下である。
【発明の効果】
【００２１】
上記防滑突起を備えるスポーツ靴は、スタート動作では、ソールの縁の防滑突起が接地する。このスポーツ靴は、高い防滑性能を発揮する。ストップ動作では、爪先部と踵部とのソール底面が接地する。ストップ動作では、この防滑突起が接地しない。このスポーツ靴は、ストップ動作では、適度なスライド性能を発揮する。また、この防滑面を備えるスポーツ靴も、突起を備えるスポーツ靴と同様に、スタート動作の高いグリップ性能とストップ動作の適度なスライド性能とを両立させている。
【図面の簡単な説明】
【００２２】
【図１】図１は、本発明の一実施形態に係るテニス靴が示された側面図である。
【図２】図２は、図１のテニス靴のソール及び防滑突起が示された底面図である。
【図３】図３（ａ）は図２の防滑突起が示された底面図であり、図３（ｂ）は図３（ａ）のｂ−ｂ線に沿った断面図であり、図３（ｃ）は図３（ａ）のｃ−ｃ線に沿った断面図である。
【図４】図４は、図２のIV−IV線に沿った断面が示された説明図である。
【図５】図５（ａ）はソールの一部と防滑突起との断面が示された説明図であり、図５（ｂ）はソールの他部と防滑突起との断面が示された説明図である。
【図６】図６は、本発明の他の実施形態に係るテニス靴の断面が示された説明図である。
【図７】図７（ａ）は図６のテニス靴のソールの一部と防滑面との断面が示された説明図であり、図７（ｂ）はそのソールの他部と防滑面との断面が示された説明図である。
【発明を実施するための形態】
【００２３】
以下、適宜図面が参照されつつ、好ましい実施形態に基づいて本発明が詳細に説明される。
【００２４】
図１は、平面の地面Ｇに自然に置かれた状態のテニス靴２が示されている。このテニス靴２は、自重で地面Ｇに接地している。このテニス靴２は、アッパー４、ソール６、防滑底面８及び防滑突起１０を備えている。図１では、ソール６が地面Ｇに接地している。
【００２５】
アッパー４には、既知の材料が用いられる。天然皮革、合成皮革、人工皮革、織布等が、アッパー４に用いられうる。アッパー４の内面に、内材が貼り付けられてもよい。典型的な内材は、織布である。内材として、透湿防水材料が用いられてもよい。
【００２６】
図２に示されるように、ソール６は、ソール底面１２と、多数の突起１４とを備えている。この突起１４は、突起１４ａと突起１４ｂとからなる。突起１４（１４ａ、１４ｂ）は、ソール底面１２から地面に向かって突出している。突起１４ａは、図２に示される様に、底面視において「Ｖ」字形状に形成されている。この「Ｖ」字形状の中央先端をソール６の外側に向けて配列されている。突起１４ｂは、円柱形状に形成されている。突起１４（１４ａ、１４ｂ）は、ソール底面１２と一体的に成形されている。突起１４（１４ａ、１４ｂ）がソール底面１２とは別に成形されてもよい。ソール底面１２とは別に成形された突起１４（１４ａ、１４ｂ）は、例えば接着剤によってソール底面１２に接合される。
【００２７】
このソール底面１２が地面Ｇに対向している。図２において、矢印Ｘで示されているのはソール６の幅方向であり、矢印Ｙで示されているのはソール６の長さ方向である。このソール６は、左足用である。図２において、左側がインサイドであり、右側がアウトサイドであり、上側がトウサイドであり、下側がヒールサイドである。図示されないが、右足用のテニス靴とこのテニス靴２とは、左右の形状が対称にされている。
【００２８】
このソール６は、爪先部１６、土踏まず部１８及び踵部２０を備えている。土踏まず部１８は、爪先部１６及び踵部２０に対して地面Ｇから離れる向きに凹んでいる。爪先部１６と踵部２０とは、土踏まず部１８によって分断されている。ソール６が明確な土踏まず部１８を備えていない靴では、Ｙ方向において、トウサイド端２２から全長の５０％までが爪先部１６とされ、ヒールサイド端２４から全長の４０％までが踵部２０とされる。
【００２９】
図２の符号Ｌ１で示されているのは、長さ線である。長さ線Ｌ１は、ソール底面１２を平面に投影した輪郭に基づいて定められる。長さ線Ｌ１は、ソール底面１２の輪郭内に画かれうる最長の直線である。長さ線Ｌ１は、底面視において、トウサイド端２２からヒールサイド端２４にまで至っている。Ｙ方向は、長さ線Ｌ１の方向と一致している。両矢印Ｌは、この長さ線Ｌ１に沿って図られるソール６の長さである。長さＬは、ソール底面１２を平面に投影した輪郭で測定される。
【００３０】
符号Ｌ２で示されているのは、幅線である。この幅線Ｌ２は、長さ線Ｌ１と直交している。両矢印Ｌａは、トウサイド端２２から幅線Ｌ２までの長さを示している。この長さＬａは、長さ線Ｌ１に沿って測られる。この長さＬａは、インサイド側のソール底面１２の縁において、防滑突起１０が形成される範囲を示している。このテニス靴２では、この長さＬａは、例えば０．３５Ｌの長さにされている。
【００３１】
符号Ｌ３で示されているのは、他の幅線である。この幅線Ｌ３は、長さ線Ｌ１と直交している。両矢印Ｌｂは、トウサイド端２２から幅線Ｌ３までの長さを示している。この長さＬｂは、長さ線Ｌ１に沿って測られる。この長さＬｂは、アウトサイド側のソール底面１２の縁において、防滑突起１０が形成される範囲を示している。このテニス靴２では、この長さＬｂは、例えば０．２Ｌの長さにされている。
【００３２】
ソール底面１２及び突起１４（１４ａ、１４ｂ）は、架橋ゴムからなる。好ましい基材ゴムとして、天然ゴム、イソプレンゴム、ブタジエンゴム、スチレン−ブタジエンゴム、アクリロニトリル−ブタジエンゴム及びウレタンゴムが例示される。ソール底面１２が、合成樹脂又はエラストマーからなってもよい。ソール底面１２が架橋ゴムからなり、突起１４（１４ａ、１４ｂ）が合成樹脂又はエラストマーからなってもよい。
【００３３】
爪先部１６及び踵部２０のソール底面１２から、多数の突起１４（１４ａ、１４ｂ）が突出している。更に、爪先部１６及び踵部２０のソール底面１２の縁に沿って溝２６が形成されている。この溝２６は、ソール底面１２の縁より内側に形成されている。この溝２６は、ソール底面１２に対して地面Ｇから離れる向きに凹んで形成されている。この爪先部１６において、インサイド側の爪先部１６の中央位置からトウサイド端２２を経由してアウトサイド側の土踏まず部１８側端まで、複数の溝２６が並べられて形成されている。踵部２０において、インサイド側の土踏まず部１８側端からヒールサイド端２４を経由してアウトサイド側の土踏まず部１８側端まで、複数の溝２６が並べられて形成れている。
【００３４】
防滑底面８は、ソール底面１２の縁に沿って形成されている。防滑底面８は、防滑突起１０が形成される底面である。このテニス靴２では、防滑底面８はソール底面１２の縁の外側に形成されている。この防滑底面８は、地面Ｇに対向する面である。この防滑底面８は、ソール底面１２の縁に沿って形成されればよく、ソール底面１２の縁の内側に及んで形成されてもよい。この防滑底面８は、インサイド側の直線Ｌ２の位置からトウサイド端２２を経由してアウトサイド側の直線Ｌ３の位置まで、ソール底面１２の縁に沿って形成されている。両矢印Ｗは、この防滑底面８の幅を示している。この幅Ｗは、平面に投影されたソール底面１２の輪郭に対して垂直な方向の距離として測定される。この防滑底面８は、地面Ｇに対向している。防滑底面８の面積をＳ１とすると、この面積Ｓ１は、インサイド側の直線Ｌ２の位置からアウトサイド側の直線Ｌ３の位置までのソール底面１２の縁に沿って測られる長さと、幅Ｗとから求められる面積である。この面積Ｓ１は、図２に示す様に、平面に投影した面積として求められる。
【００３５】
防滑突起１０は、防滑底面８に形成されている。このテニス靴２では、防滑突起１０は、ソール底面１２の縁の外側に形成されている。この防滑突起１０は、ソール底面１２の縁の外側から内側まで、ソール底面１２の縁を跨がって形成されてもよい。この防滑突起１０は、ソール底面１２の縁に沿って形成され、爪先部１６の幅方向中央部２８と踵部２０の幅方向中央部３０とが共に接地した状態で地面Ｇに接地しない位置に形成されればよい。このテニス靴２では、複数の防滑突起１０が、インサイド側の直線Ｌ２の位置からトウサイド端２２を経由してアウトサイド側の直線Ｌ３の位置まで、ソール底面１２の縁に沿って並べられて形成されている。
【００３６】
図３（ａ）に、図２に示された防滑突起１０の一つが示されている。図３（ｂ）は図３（ａ）のｂ−ｂ線に沿った断面図である。図３（ｃ）は、図３（ａ）のｃ−ｃ線に沿った断面図である。図３（ａ）から（ｃ）に示される様に、この防滑突起１０の形状は、四角錐台である。防滑突起１０は、防滑底面８から地面に向かって先細りに形成されている。
【００３７】
この防滑突起１０は、地面に対向する底面１０ａを備えている。図３のＳａは、この底面１０ａの面積を示している。このソール底面１２の縁に沿って複数の防滑突起１０が形成されている。この全ての防滑突起１０の底面１０ａの面積Ｓａの合計面積は、防滑突起１０の接地面積Ｓ２を示している。図３の両矢印ｈは、防滑突起１０の高さを示している。この高さｈは、防滑突起１０が形成されている防滑底面８に垂直な方向で測られる。
【００３８】
この防滑底面８及び防滑突起１０は、架橋ゴムからなる。好ましい基材ゴムとして、天然ゴム、イソプレンゴム、ブタジエンゴム、スチレン−ブタジエンゴム、アクリロニトリル−ブタジエンゴム及びウレタンゴムが例示される。この防滑底面８及び防滑突起１０は、ソール底面１２と一体に形成されてもよい。この防滑底面８及び防滑突起１０は、合成樹脂又はエラストマーからなってもよい。
【００３９】
図４は、図１に示された状態、具体的には、ソール６の踵部２０の幅方向中央部３０と爪先部１６の幅方向中央部２８とが地面Ｇに接地した状態を示されている。この状態は、テニス靴２が平らな地面Ｇに自然に置かれた状態である。図４は、図２のIV−IV線に沿ったソール６の断面を示している。更に、図５（ａ）には、図４の爪先部１６の拡大図が示されており、図５（ｂ）には図４の状態で、インサイド３６の縁のソール６の一部とそれに隣接する防滑突起１０が示されている。この状態では、踵部２０及び爪先部１６に形成された突起１４ａ及び１４ｂが地面Ｇに接地する。防滑突起１０及びソール底面１２の縁は、接地していない。
【００４０】
この爪先部１６のソール底面１２では、幅方向中央部２８が幅方向縁部に対して、下向きに（地面Ｇの向きに）に凸状になる滑らかな曲面で形成されている。この爪先部１６のソール底面１２は、土踏まず部１８側の幅方向中央部２８がトウサイド端２２側に対して、下向きに（地面Ｇの向きに）凸状になる滑らかな曲面で形成されている。このテニス靴２では、ソール６の踵部２０の幅方向中央部３０と爪先部１６の幅方向中央部２８とが地面Ｇに接地した状態では、爪先部１６の爪先３２、アウトサイド３４及びインサイド３６のソール底面１２の縁は、地面Ｇに接地していない（図２及び図５参照）。
【００４１】
突起１４ａは、Ｖ字形状の先端向きに、その逆向きより、滑り易く形成されている。これにより、爪先部１６のトウサイド端２２側では、後方向きより前方向きに適度に滑り易くされている。爪先部１６のインサイド側では、爪先部１６の内側から外向きに適度に滑り易くされている。爪先部１６のアウトサイド側でも、爪先部１６の内側から外向きに適度に滑りや易くされている。防滑突起１０に隣接する突起１４ａは、爪先側、インサイド側及びアウトサイド側のいずれにおいても、この縁の外側から内側向きより、内側から外側向きに適度に滑り易く形成されている。
【００４２】
同様に、突起１４ａにより、踵部２０のインサイド側では、爪先部１６の内側から外向きに適度に滑り易くされている。踵部２０のアウトサイド側でも、爪先部１６の内側から外向きに適度に滑りや易くされている。この踵部２０は、インサイド側及びアウトサイド側のいずれにおいても、踵部２０の内側から外向きに適度に滑り易くされている。
【００４３】
このテニス靴２は、踵部２０の幅方向中央部３０と爪先部１６の幅方向中央部２８とが地面Ｇに接地した状態では、それぞれの突起１４ａ及び１４ｂが接地する。のテニス靴２は、ストップ動作で適度に滑り易くされている。
【００４４】
このテニス靴２では、踵部２０の幅方向中央部３０を接地させずに、爪先部１６の爪先３２のソール底面１２の縁が地面Ｇに接地する向きに押圧されると、この縁に隣接する防滑突起１０が地面Ｇに接地する。この防滑突起１０が地面Ｇに食い込む。また、踵部２０の幅方向中央部３０を接地させずに、インサイド３６のソール底面１２の縁が地面Ｇに接地する向きに押圧されると、この縁に隣接する防滑突起１０が地面に接地する。この防滑突起１０が地面Ｇに食い込む。このテニス靴２では、踵部２０の幅方向中央部３０を接地させずに、防滑突起１０に隣接するソール底面１２の部分が地面Ｇに接地する向きに押圧される状態で、この防滑突起１０が地面Ｇに接地する高さに形成されている。言い換えると、防滑突起１０に隣接するソール底面１２の縁が地面Ｇに近付く向きに押圧される状態で、この防滑突起１０が地面Ｇに接地する。これにより、スタート動作で、このテニス靴２は高い防滑性能を発揮する。
【００４５】
この防滑突起１０が爪先３２及びインサイド３６のソール底面１２の縁に形成されているので、このテニス靴２の前方向き及びインサイド側向きのスタート動作に対して、高い防滑性能を発揮しうる。
【００４６】
インサイド側のソール底面１２の縁において、防滑突起１０が形成される範囲を広くすることで、インサイド側のより広い方向のスタート動作に対して、高い防滑性能を発揮する。この観点から、図２の長さＬａは、好ましくは０．１Ｌ以上であり、更に好ましくは０．２Ｌ以上であり、特に好ましくは０．３Ｌ以上である。一方で、この長さＬａがある程度の範囲を超えると、より広い範囲の向きに防滑性能を発揮することが期待できない。この観点から、図２の長さＬ２は、好ましくは０．５Ｌ以下であり、更に好ましくは０．４Ｌ以下である。
【００４７】
また、アウトサイド側のソール底面１２の縁においても、インサイド側のそれと同様の理由で、図２の長さＬｂは、好ましくは０．１Ｌ以上であり、更に好ましくは０．２Ｌ以上であり、特に好ましくは０．３Ｌ以上である。一方で、インサイド側と同様に、この長さＬｂは、好ましくは０．５Ｌ以下であり、更に好ましくは０．４Ｌ以下である。
【００４８】
図５（ａ）及び図５（ｂ）の両矢印Ａは、防滑突起１０の底面１０ａから地面Ｇまでの距離を示している。この距離Ａは、防滑突起１０と地面Ｇとの距離である。この距離Ａが０を超えることで、ストップ動作で適度にスリップする。このテニス靴２は、適度なスライド性能が得られる。この観点から、この距離Ａは、０を超え、好ましくは１ｍｍ以上であり、更にこのましくは２ｍｍ以上である。この距離Ａが小さいテニス靴２では、スタート動作で防滑性能が得られやすい。この観点から、この距離Ａは、好ましくは４ｍｍ以下であり、更に好ましくは３ｍｍ以下であり、特に好ましくは２ｍｍ以下である。
【００４９】
この防滑突起１０の高さｈが高いテニス靴２では、防滑突起１０が地面Ｇに深く食い込む。これにより高い防滑性能を発揮しうる。この観点から、この高さｈは、好ましくは１ｍｍ以上であり、更に好ましくは２ｍｍ以上であり、特に好ましくは３ｍｍ以上である。一方で、高さｈが低いテニス靴２では、防滑突起１０の強度に優れている。この観点から、この高さｈは、好ましくは６ｍｍ以下であり、更に好ましくは５ｍｍ以下であり、特に好ましくは４ｍｍ以下である。
【００５０】
ソール６の形状は、底面から見たときの、プレイヤーの足の裏の形状にほぼ沿っている。このテニス靴２では、ストップ動作では、プレイヤーの足の裏全体が地面Ｇに向かって押しつけられる。ソール底面１２が地面Ｇに押しつけられた状態になる。爪先部１６と踵部２０とが地面Ｇに押しつけられる。このテニス靴２では、爪先部１６の幅方向中央部２８と踵部２０の幅方向中央部３０とが共に地面に押しつけられた状態では、爪先部１６の爪先３２、アウトサイド３４及びインサイド３６の縁は接地し難い。防滑突起１０がソール底面１２の縁に沿って形成されているので、防滑突起１０が地面に食い込むことが抑制されている。これにより、防滑突起１０は、ストップ動作での適度なスライド性能を阻害しない。適度なスライド性能を阻害しない観点から、防滑突起１０は、ソール底面１２の縁より外側に形成されることが好ましい。
【００５１】
一方で、スタート動作では、ダッシュする向きに爪先部１６のソール底面１２の縁が地面Ｇに押しつけられる。このテニス靴２では、防滑突起１０の底面１０ａと地面Ｇと距離Ａは、ソール底面１２の縁と地面Ｇとの距離より小さい。この爪先部１６のソール底面１２の縁が地面に押しつけられることより、防滑突起１０が地面Ｇに食いつく。このテニス靴２は、防滑突起１０により、高い防滑性能を発揮する。この防滑性能を発揮する観点から、図２の幅Ｗは、好ましくは０．１Ｌ以下であり、更に好ましくは０．０５Ｌ以下である。なお。前述の防滑突起１０の底面１０ａと地面Ｇと距離Ａは、ソール底面１２の縁と地面Ｇとの距離より、必ずしも小さくなくてもよい。踵部２０の幅方向中央部３０を接地させずにこの防滑突起１０に隣接するソール底面１２が地面Ｇに近付く向きに押圧される状態で、この防滑突起１０が地面Ｇに接地する高さであれば、防滑性能を発揮しうる。
【００５２】
防滑底面８の面積Ｓ１に対して、防滑突起１０の接地面積Ｓ２の比（Ｓ２／Ｓ１）が小さいテニス靴２では、防滑突起１０が地面Ｇに食い付きやすい。この観点から比（Ｓ２／Ｓ１）は、好ましくは０．６以下であり、更に好ましく０．４以下であり、特に好ましくは０．２以下である。一方で、この比（Ｓ２／Ｓ１）が大きいテニス靴２は、防滑突起１０の強度に優れている。この観点から、この比（Ｓ２／Ｓ１）は、好ましくは０．１以上であり、更に好ましくは０．２以上である。
【００５３】
このテニス靴２では、防滑突起１０は溝２６が形成されたソール底面１２に隣接して形成されている。防滑突起１０に隣接するソール底面１２には、このソール底面１２より地面との距離が小さくなる突起が形成されていない。このテニス靴では、防滑突起１０が地面Ｇに食いつきやすい。これにより、このテニス靴２は、より高いグリップ性を発揮しうる。
【００５４】
このテニス靴２の突起１４（１４ａ、１４ｂ）に代えて、溝２６と同様に、多数の溝が形成されてもよい。爪先部１６及び踵部２０に溝を形成して、滑り止めがされてもよい。ベース１２の底面１２ａの全面に亘って溝が形成されてもよい。突起１４（１４ａ、１４ｂ）に代えて、溝を備えるテニス靴においても、テニス靴２と同様に、ソール底面１２（ソール６）の縁に沿って防滑突起１０を形成することで、スタート動作で高い防滑性能が発揮され、ストップ動作で適度なスライド性能を発揮しうる。
【００５５】
ここでは、四角錐台の防滑突起１０を例に説明がされたが、防滑突起１０は地面に食いつくように突出して形成された形状を備えていればよい。防滑突起１０の形状は、例えば、他の多角錐台、円錐台、多角錐、円錐等であってもよい。更には、防滑突起１０は、金属製のピンであってもよい。
【００５６】
防滑突起１０のアスカーＡ硬度は、５０以上が好ましい。この防滑突起１０は、地面に突き刺さりやすい。防滑突起１０が地面に突き刺さるテニス靴２は、防滑性能に優れる。この観点から、この硬度は６０以上がより好ましく、７５以上が特に好ましい。アスカーＡ硬度は、タイプＡのデュロメータによって測定される。測定には、厚みが２ｍｍ以上であるシート状の試験片が用いられる。測定時には、３枚の試験片が重ねられる。防滑突起１０が樹脂組成物からなる場合、この樹脂組成物と同じ樹脂組成物からなる試験片が用いられる。防滑突起１０がゴム組成物が架橋されることで成形されている場合、このゴム組成物と同じゴム組成物が架橋されることで成形された試験片が用いられる。試験片の架橋温度は１６０℃であり、架橋時間は１０分である。測定では、デュロメータの押針の先端が、試験片の端から１２ｍｍ以上離れるようなサイズの試験片が用いられる。試験片は、固くて剛性があり平坦である下地の上に置かれる。押針が試験片の測定面に対して垂直となるように、デュロメータが保持される。この状態から、デュロメータの加圧面に衝撃が加わらない範囲でなるべく速やかに、この加圧面を試験片に密着させる。密着後１秒以内に、デュロメータのメモリを読む。
【００５７】
このテニス靴２は、防滑突起１０が地面Ｇに食い込むことで、高い防滑性能を発揮しうる。このテニス靴２は、クレイコート、砂入り人工芝コート、グラスコート等の軟らかい地面Ｇのコートに適している。
【００５８】
ここでは、踵部２０の幅方向中央部３０と爪先部１６の幅方向中央部２８とが共に接地した状態で、爪先部１６のソール底面１２の縁が接地しない、テニス靴２を例に説明がされた。この防滑突起１０は、踵部２０の幅方向中央部３０と爪先部１６の幅方向中央部２８とが共に接地した状態で、爪先部１６のソール底面１２の縁が接地する、テニス靴に設けられてもよい。そのようなテニス靴でも、防滑突起１０に隣接するソール底面１２の縁が地面Ｇに近付く向きに（ソール底面１２の縁が地面Ｇに更に押しつけられる向きに）押圧される状態で、この防滑突起１０が地面Ｇに接地する高さに形成されることで、スタート動作での防滑性能に寄与しうる。また、この防滑突起１０が、踵部２０の幅方向中央部３０と爪先部１６の幅方向中央部２８とが共に接地した状態で、地面Ｇに接地しない高さに形成されることで、ストップ動作のスライド性能を阻害しない。
【００５９】
図６には、本発明の他の実施形態に係るテニス靴３８の断面が示されている。このテニス靴３８は、テニス靴２の防滑突起１０に代えて、摩擦力の高い防滑面４０が形成されている。図６の二点鎖線は、防滑底面４２を示している。テニス靴３８の防滑底面４２に、防滑突起１０に代えて、防滑面４０が形成されている。この防滑面４０は、踵部４４の幅方向中央部と爪先部４６の幅方向中央部とが共に接地した状態で地面Ｇに接地しない高さに形成されている。この防滑面４０は、踵部４４の幅方向中央部を接地させずに、この防滑面４０に隣接するソール底面４８が地面Ｇに近付く向きに押圧される状態で、地面Ｇに接地する高さに形成されている。
【００６０】
図７（ａ）及び図７（ｂ）に示される様に、このテニス靴３８では、爪先５０及びインサイド５２のソール底面４８の縁に、地面Ｇに対向する防滑面４０が形成される。この防滑面４０を構成する材料は、ソール底面４８を構成する材質より、摩擦係数が大きくされている。図示されないが、このテニス靴３８では、アウトサイドのソール底面４８の縁にも、地面Ｇに対向する防滑面４０が形成されている。
【００６１】
このテニス靴３８では、ストップ動作では、ソール底面４８が地面Ｇに押しつけられた状態になる。防滑面４０がソール底面４８の縁に沿って形成されているので、防滑面４０が地面Ｇに接することが抑制されている。これにより、防滑面４０は、ストップ動作での適度なスライド性能を阻害しない。適度なスライド性能を阻害しない観点から、防滑面４０は、ソール底面４８の縁より外側に形成されることが好ましい。
【００６２】
一方で、スタート動作では、ダッシュする向きに爪先部のソール底面４８の縁が地面Ｇに押しつけられる。これにより、防滑面４０が地面Ｇに接する。このテニス靴３８は、防滑面４０により、高い防滑性能を発揮する。この防滑性能を発揮する観点から、防滑面４０と地面Ｇと距離は、ソール底面４８の縁と地面Ｇとの距離より小さいことが好ましい。この防滑面４０の面積が大きいほど高い防滑性能が発揮される。この観点から、防滑面４０が形成される防滑底面４２の幅Ｗは、好ましくは０．１Ｌ以上であり、更に好ましくは０．２Ｌ以上である。
【００６３】
インサイド側のソール底面４８の縁において、防滑面４０が形成される範囲を広くすることで、インサイド側のより広い方向のスタート動作に対して、高い防滑性能を発揮する。この観点から、防滑面４０が形成される範囲は、トウサイド端から好ましくは０．１Ｌ以上であり、更に好ましくは０．２Ｌ以上であり、特に好ましくは０．３Ｌ以上である。一方で、この長さＬ２の長さがある程度の範囲を超えると、より広い方向に防滑性能を発揮することが期待できない。この観点から、防滑面４０が形成される範囲は、トウサイド端から好ましくは０．５Ｌ以下であり、更に好ましくは０．４Ｌ以下である。
【００６４】
また、アウトサイド側のソール底面４８の縁においても、インサイド側のそれと同様の理由で、防滑面４０が形成される範囲は、トウサイド端から好ましくは０．１Ｌ以上であり、更に好ましくは０．２Ｌ以上であり、特に好ましくは０．３Ｌ以上である。一方で、防滑面４０が形成される範囲は、トウサイド端から好ましくは０．５Ｌ以下であり、更に好ましくは０．４Ｌ以下である。
【００６５】
防滑面４０から地面Ｇまでの距離Ａが０を超えることで、ストップ動作で適度にスリップする。この観点から、この距離Ａは、０を超え、好ましくは１ｍｍ以上であり、更に好ましくは２ｍｍ以上である。この距離Ａが小さいテニス靴３８では、スタート動作で防滑性能が得られやすい。この観点から、この距離Ａは、好ましくは４ｍｍ以下であり、更に好ましくは３ｍｍ以下であり、特に好ましくは２ｍｍ以下である。
【００６６】
ハードコート、屋内コート等の硬い地面Ｇのコートでは、テニス靴２の防滑突起１０より、テニス靴３８の防滑面４０が高いグリップ力が得られ易い。この様なコートでは、テニス靴３８は、防滑面４０が地面Ｇに接地することで、高い防滑性能を発揮しうる。このテニス靴３８は、ハードコート、屋内コート等の硬い地面Ｇのコートに特に適している。
【実施例】
【００６７】
以下、実施例によって本発明の効果が明らかにされるが、この実施例の記載に基づいて本発明が限定的に解釈されるべきではない。
【００６８】
［比較例１］
市販品として、バボラ社製のテニス靴「ｐｒｏｐｌｕｓｅ３」を準備した。
【００６９】
［実施例１］
ポリブタジエンが基材ゴムであるゴム組成物を、モールドに投入した。このゴム組成物を加圧しかつ加熱して、防滑突起とアウトソールとを一体成形した。この防滑突起の形状及び形成範囲は、図１のテニス靴と同じ形状及び範囲にされた。アウトソールの底面は、バボラ社製のテニス靴「ｐｒｏｐｌｕｓｅ３」と同様にした。この防滑突起及びアウトソールを、バボラ社製のテニス靴「ｐｒｏｐｌｕｓｅ３」のアウトソールに代えて取り付けて、実施例１のテニス靴の対を得た。この対は、右足用テニス靴及び左足用テニス靴からなる。アウトソール及び突起のアスカーＡ硬度は、７５である。
【００７０】
［実施例２−４及び比較例２−３］
防滑突起と地面との距離Ａを下記の表１に示される通りとした他は実施例１と同様にして、テニス靴の対を得た。比較例３のテニス靴は、軟らかい粘土からなる平面に、踵部の幅方向中央部と爪先部の幅方向中央部とを接地させたときに、粘土に食い込んだ防滑突起の跡の深さを測定した。この跡の深さを距離Ａとして、マイナス表示した。
【００７１】
［実施例５−９］
突起と地面との比（Ｓ２／Ｓ１）を下記の表２に示される通りとした他は実施例１と同様にして、テニス靴の対を得た。
【００７２】
［実施例１０−１２］
突起高さｈを下記の表３に示される通りとした他は実施例１と同様にして、テニス靴の対を得た。
【００７３】
［防滑性能］
テニス靴を、１０人のテニスプレイヤーに着用させた。この１０人のテニスプレイヤーに、スタート動作の防滑性能について官能評価させた。この評価は、５点満点とし、点数が大きいほど、良好な評価を示している。この結果が、下記の表１から３に示されている。
【００７４】
［スライド性能］
この１０人のテニスプレイヤーに、ストップ動作のスライド性能について官能評価させた。この評価は、５点満点とし、適度なスライド性能を発揮するものを５点とし、グリップし過ぎるものを１点として評価した。この結果が、下記表１から３に示されている。
【００７５】
［総合性能］
上記防滑性能とスライド性能との総合評価をした。この総合評価は、防滑性能の評価とスライド性能の評価との合計で求められた。この評価結果が大きいほど、好ましい。
【００７６】
【表１】
2014236783.tif 000003
【００７７】
【表２】
2014236783.tif 000004
【００７８】
【表３】
2014236783.tif 000005
【００７９】
表１から３に示されるように、実施例のテニス靴は防滑性能及びスライド性能に優れる。この評価結果から、本発明の優位性は明らかである。
【産業上の利用可能性】
【００８０】
本発明に係るスポーツ靴は、テニス靴に限らず、ラグビー、サッカー、アメリカンフットボール、バトミントン等、激しい動きを要求するものに、広く適用しうる。
【符号の説明】
【００８１】
２、３８・・・テニス靴
４・・・アッパー
６・・・ソール
８、４２・・・防滑底面
１０・・・防滑突起
１２、４８・・・ソール底面
１４・・・突起
１６、４６・・・爪先部
１８・・・土踏まず部
２０、４４・・・踵部
２２・・・トウサイド端
２４・・・ヒールサイド端
２６・・・溝
２８、３０・・・幅方向中央部
３２、５０・・・爪先
３４・・・アウトサイド
３６、５２・・・インサイド
４０・・・防滑面
【図１】
2014236783.tif 000006
【図２】
2014236783.tif 000007
【図３】
2014236783.tif 000008
【図４】
2014236783.tif 000009
【図５】
2014236783.tif 000010
【図６】
2014236783.tif 000011
【図７】
2014236783.tif 000012